(57)【要約】【課題】操作及び携帯が容易であり、また、病変部位に対する細胞や組織の採取が正確に行われるようにする。【解決手段】前端にニードル通過孔が形成され、後端が開放して形成される中空の胴体と、胴体の内側に摺動可能に設置される摺動部と、摺動部が後方に戻るための弾性力を提供するように、胴体内に設置される弾性部材と、摺動部の前端にシリンダが装着され、摺動部の前後移動によって、ニードルがニードル通過孔から突出乃至挿入される注射器と、摺動部が前後に移動時、注射器を回転させるように、摺動部と胴体の内側に設けられる回転部と、摺動部の後端に螺合されて胴体から引き出され、摺動部との螺合長さに応じて、摺動部の前後移動距離を調節可能なヘッドと、胴体に設置され、外部に位置するボタンの押圧により、注射器のピストンを引っ張ることにより、注射器に陰圧を生じる陰圧発生部と、を備えることを特徴としている。【選択図】図３
2013138842.tif 000002
【特許請求の範囲】
【請求項１】
超音波用細胞及び組織検査機において、
前端にニードル通過孔が形成され、後端が開放して形成される中空の胴体と、
前記胴体の内側に摺動可能に設置される摺動部と、
前記摺動部が後方に戻るための弾性力を提供するように、胴体内に設置される弾性部材と、
前記摺動部の前端にシリンダが装着され、前記摺動部の前後移動によって、前記ニードルがニードル通過孔から突出乃至挿入される注射器と、
前記摺動部が前後に移動時、前記注射器を回転させるように、前記摺動部と前記胴体の内側に設けられる回転部と、
前記摺動部の後端に螺合されて前記胴体から引き出され、前記摺動部との螺合長さに応じて、前記摺動部の前後移動距離を調節可能なヘッドと、
前記胴体に設置され、外部に位置するボタンの押圧により、前記注射器のピストンを引っ張ることにより、前記注射器に陰圧を生じる陰圧発生部と、を備えることを特徴とするペン型超音波用微細針細胞及び組織検査機。
【請求項２】
前記胴体は、後端側部に表示窓が形成され、前記ヘッドは、側部に前記表示窓から露出し、前記摺動部の前後移動距離を示す表示部が設けられることを特徴とする請求項１に記載のペン型超音波用微細針細胞及び組織検査機。
【請求項３】
前記ヘッドは、前記胴体の後端に係止するように、前記胴体の内径よりも大きな直径または幅を有して形成されることを特徴とする請求項１または２に記載のペン型超音波用微細針細胞及び組織検査機。
【請求項４】
前記摺動部と前記胴体の内側面に設けられ、前記ヘッドで押圧され、前記摺動部が前方に移動した状態で、前記ヘッドを放すと、前記摺動部が前記弾性部材の弾性力によって後方に移動して係止させ、前記ニードルが前記胴体から突出した状態を維持し、前記ヘッドを再度押圧してから放すと、前記摺動部が係止の解除によって後方に移動し、前記ニードルを前記胴体から挿入させるロータリーノックモジュールをさらに備えることを特徴とする請求項１に記載のペン型超音波用微細針細胞及び組織検査機。
【請求項５】
前記回転部は、前記摺動部の前端に回転可能に結合するとともに、前記注射器のシリンダが一緒に回転するように固定される回転体の外周面に沿って形成される螺子突起部と、前記胴体の内側面に形成され、前記螺子突起部に結合され、前記摺動部の前後移動により、前記回転体を前記注射器と一緒に回転するようにガイドする回転ガイド突起部と、を有することを特徴とする請求項１に記載のペン型超音波用微細針細胞及び組織検査機。
【請求項６】
前記回転部は、前記胴体の外周面に回転可能に結合され、内周面に前記螺子突起部に結合されるためのガイド突起が形成され、回転方向に沿って、前記回転体の前後移動をガイドする回転リングをさらに有することを特徴とする請求項５に記載のペン型超音波用微細針細胞及び組織検査機。
【請求項７】
回転部は、前記摺動部が、前進の初期時、一定の距離内において前記回転体の回転を抑制するように、前記螺子突起部の前側に直線部が形成されることを特徴とする請求項５または６に記載のペン型超音波用微細針細胞及び組織検査機。
【請求項８】
前記回転ガイド突起部は、前記胴体の内周面に沿って回転可能に複数個設置されるボールからなることを特徴とする請求項５に記載のペン型超音波用微細針細胞及び組織検査機。
【請求項９】
前記陰圧発生部は、前記胴体内に回転可能に設置され、前記ピストンの取っ手に連結されるワイヤーが巻取されるプーリーと、前記プーリーの一側に設けられるギアと、前記胴体に露出して設置され、押圧によって前記ギアを回転させるように設置される前記ボタンが、前記ギアから離隔するように弾性力を提供する復帰ばねと、を有することを特徴とする請求項１に記載のペン型超音波用微細針細胞及び組織検査機。
【請求項１０】
前記胴体は、前端が、分離可能な透明材質のキャップからなることを特徴とする請求項１に記載のペン型超音波用微細針細胞及び組織検査機。
【請求項１１】
前記胴体の前端の外側に分離可能に挿入される蓋をさらに有することを特徴とする請求項１または１０に記載のペン型超音波用微細針細胞及び組織検査機。
【発明の詳細な説明】
【技術分野】
【０００１】
本発明は、ペン型超音波用微細針細胞及び組織検査機に関し、より詳しくは、操作及び携帯が容易であるだけでなく、病変部位に対する細胞や組織の採取が正確に行われるようにするペン型超音波用微細針細胞及び組織検査機に関する。
【背景技術】
【０００２】
一般に、患者の身体に腫瘍や結節が生じた場合、悪性の有無を迅速に判断して治療の方針を決めるために、組織検査や細胞検査が必須である。特に、リンパ節や軟組織、筋肉、甲状腺や乳房等の比較的に皮膚から深くない部位の腫瘍の鑑別の際は、微細針を用いて、最小侵襲の方法で、細胞を採取して検査することが、患者の負担を最少化しながらも極めて有用な方法である。
【０００３】
この際、肉眼で見えたり手で触れたりする腫瘍の場合は、超音波を用いなくても生検針を腫瘍部位に挿入して、組織検査を実施することができる。しかしながら、これに対して、サイズが小さかったり、深くて肉眼で見えなく、手で触れなかったりする場合は、超音波装備を用いてモニタをみながら組織検査や細胞検査を行うと、容易かつ正確に病変部位に生検針を挿入して細胞や組織を採取することができる。
【０００４】
この際、このために、一般の注射器が広く用いられているが、操作が容易ではなく、細胞採取率が低く、正確な結果を得るためには検査を繰り返さなければならないことが多くあった。また、従来の超音波用組織検査機は、操作と携帯が容易ではなく、しかも、病変部位に対する細胞や組織の採取が正確に行われ難く、一般の注射器よりも特別な利点がなく、広く用いられていないという問題点があった。
【発明の概要】
【発明が解決しようとする課題】
【０００５】
本発明は、上述した従来の問題点を解決するために、操作及び携帯が容易であり、また、病変部位に対する細胞や組織の採取が正確に行われるようにすることに目的がある。
【０００６】
本発明の他の目的は、以下の実施例についての説明により容易に理解され得る。
【課題を解決するための手段】
【０００７】
上述した目的を達成するために、本発明の一側面によると、超音波用細胞及び組織検査機において、前端にニードル通過孔が形成され、後端が開放して形成される中空の胴体と、前記胴体の内側に摺動可能に設置される摺動部と、前記摺動部が後方に戻るための弾性力を提供するように、胴体内に設置される弾性部材と、前記摺動部の前端にシリンダが装着され、前記摺動部の前後移動によって、前記ニードルがニードル通過孔から突出乃至挿入される注射器と、前記摺動部が前後に移動時、前記注射器を回転させるように、前記摺動部と前記胴体の内側に設けられる回転部と、前記摺動部の後端に螺合されて前記胴体から引き出され、前記摺動部との螺合長さに応じて、前記摺動部の前後移動距離を調節可能なヘッドと、前記胴体に設置され、外部に位置するボタンの押圧により、前記注射器のピストンを引っ張ることにより、前記注射器に陰圧を生じる陰圧発生部と、を備えるペン型超音波用微細針細胞及び組織検査機が提供される。
【０００８】
前記胴体は、後端側部に表示窓が形成され、前記ヘッドは、側部に前記表示窓から露出し、前記摺動部の前後移動距離を示す表示部が設けられてもよい。
【０００９】
前記ヘッドは、前記胴体の後端に係止するように、前記胴体の内径よりも大きな直径または幅を有して形成されてもよい。
【００１０】
前記摺動部と前記胴体の内側面に設けられ、前記ヘッドで押圧され、前記摺動部が前方に移動した状態で、前記ヘッドを放すと、前記摺動部が前記弾性部材の弾性力によって後方に移動して係止させ、前記ニードルが前記胴体から突出した状態を維持し、前記ヘッドを再度押圧してから放すと、前記摺動部が係止の解除によって後方に移動し、前記ニードルを前記胴体から挿入させるロータリーノックモジュールをさらに備えてもよい。
【００１１】
前記回転部は、前記摺動部の前端に回転可能に結合するとともに、前記注射器のシリンダが一緒に回転するように固定される回転体の外周面に沿って形成される螺子突起部と、前記胴体の内側面に形成され、前記螺子突起部に結合され、前記摺動部の前後移動により、前記回転体を前記注射器と一緒に回転するようにガイドする回転ガイド突起部と、を有してもよい。
【００１２】
前記回転部は、前記胴体の外周面に回転可能に結合され、内周面に前記螺子突起部に結合されるためのガイド突起が形成され、回転方向に沿って、前記回転体の前後移動をガイドする回転リングをさらに有してもよい。
【００１３】
前記回転部は、前記摺動部が、前進の初期時、一定の距離内において前記回転体の回転を抑制するように、前記螺子突起部の前側に直線部が形成されてもよい。
【００１４】
前記回転ガイド突起部は、前記胴体の内周面に沿って回転可能に複数個設置されるボールからなってもよい。
【００１５】
前記陰圧発生部は、前記胴体内に回転可能に設置され、前記ピストンの取っ手に連結されるワイヤーが巻取されるプーリーと、前記プーリーの一側に設けられるギアと、前記胴体に露出して設置され、押圧によって前記ギアを回転させるように設置される前記ボタンが、前記ギアから離隔するように弾性力を提供する復帰ばねと、を有してもよい。
【００１６】
前記胴体は、前端が、分離可能な透明材質のキャップからなってもよい。
【００１７】
前記胴体の前端の外側に分離可能に挿入される蓋をさらに有してもよい。
【発明の効果】
【００１８】
本発明のペン型超音波用微細針細胞及び組織検査機によると、操作及び携帯が容易であり、また、病変部位に対する細胞や組織の採取が正確に行われるようにすることができる。
【図面の簡単な説明】
【００１９】
【図１】本発明の一実施例によるペン型超音波用微細針細胞及び組織検査機を示した正面図である。
【図２】図２は、本発明の一実施例によるペン型超音波用微細針細胞及び組織検査機の他の模様を示した正面図である。
【図３】本発明の一実施例によるペン型超音波用微細針細胞及び組織検査機を示した側断面図である。
【図４】本発明の一実施例によるペン型超音波用微細針細胞及び組織検査機の陰圧発生部を示した側面図である。
【図５】本発明の一実施例によるペン型超音波用微細針細胞及び組織検査機の動作を説明するための側断面図である。
【図６】本発明の一実施例によるペン型超音波用微細針細胞及び組織検査機の動作を説明するための側断面図である。
【発明を実施するための形態】
【００２０】
本発明は、多様な変更を加え、様々な実施例を有することができるので、特定の実施例を図示し、詳細に説明する。しかし、これは、本発明を特定の実施形態に限定するものではなく、本発明の技術思想及び技術範囲に含まれる全ての変更、均等物乃至代替物を含むものと理解されるべきであり、様々な他の形態に変形され、本発明の範囲が下記の実施例に限定されるものではない。
【００２１】
以下、添付図面に基づき本発明による実施例について詳述し、図面符号に拘わらず、同一または対応する構成要素については、同一の参照番号を付け、これに対する重複の説明を省略する。
【００２２】
図１は、本発明の一実施例によるペン型超音波用微細針細胞及び組織検査機を示した正面図であり、図２は、本発明の一実施例によるペン型超音波用微細針細胞及び組織検査機の他の模様を示した正面図であり、図３は、本発明の一実施例によるペン型超音波用微細針細胞及び組織検査機を示した側断面図である。
【００２３】
図１乃至図３に示すように、本発明の一実施例によるペン型超音波用微細針細胞及び組織検査機１００は、胴体１１０と、摺動部１２０と、弾性部材１３１、１３２と、注射器１４０と、回転部１５０と、ヘッド１６０と、陰圧発生部１７０とを備えてもよい。
【００２４】
胴体１１０は、中空からなり、前端にニードル通過孔１１１が形成され、後端が開放して形成され、中心部の外周面にグリップを容易にするためにゴム等の材質からなるグリップ部１１２が設けられている。
【００２５】
胴体１１０は、後端側部に表示窓１１３が形成され、前端が分離可能な透明材質のキャップ１１４からなっている。ここで、キャップ１１４は、胴体１１０の前端に螺合され、衛生のために無菌の使い捨て製品に交替使用され、透明材質からなることにより、内部の注射器１４０等を見ることができる。
【００２６】
胴体１１０の前端外側には、分離可能に挿入される蓋１９０が設けられている。ここで、蓋１９０は、胴体１１０の前端のニードル通過孔１１１を開閉させ、ポケット等にかかるようにクリップ１９１が設けられている。
【００２７】
摺動部１２０は、胴体１１０の内側に摺動可能に設置される弾性部材１３１、１３２の支持のためのフランジ１２１が形成され、摺動時、回転部１５０との緩衝を避けるために、長さ方向に沿って溝１２３が形成され、ヘッド１６０との螺合のために、後端に螺合部１２４が設けられている。
【００２８】
弾性部材１３１、１３２は、一例として、コイルばねからなり、単一であってもよく、本実施例におけるようにコイルばねの第１及び第２のばね１３１、１３２からなってもよい。ここで、第１のばね１３１は、摺動部１２０が後方に戻るための弾性力を摺動部１２０のフランジ１２１に提供するように、胴体１１０内の支持突起１１５に設置される。また、第２のばね１３２は、摺動部１２０の回転体１２２が後方に戻るための弾性力を回転体１２２に提供するように、胴体１１０内の前側において回転体１２２の前端を支持するように設置されている。
【００２９】
注射器１４０は、病変部位の細胞や組織を採取するためのものであって、摺動部１２０の前端にシリンダ１４１が装着され、摺動部１２０の前後移動によって、ニードル１４２がニードル通過孔１１１から突出乃至挿入される。
【００３０】
ニードル１４２は、長さと模様を病変に応じて選択することができる。例えば、ニードル１４２の中間に超音波像においてよく見える塗料を塗布したり表示したりしてもよく、開口を大きくし、側刃を立てて、回転時に組織採取率を高めてもよく、端部をスクリュー状にし、複数個の微細突起を形成してもよい。
【００３１】
回転部１５０は、摺動部１２０の前後に移動時、注射器１４０を回転させるために、摺動部１２０と胴体１１０の内側に設けられるが、一例として、リングベアリングが用いられ、他の例として、本実施例のように、摺動部１２０の前端に回転可能に結合されるとともに、注射器１４０のシリンダ１４１が一緒に回転するように固定される回転体１２２の外周面に沿って形成される螺子突起部１５１と、胴体１１０の内側面に形成され、螺子突起部１５１に結合され、摺動部１２０の前後移動によって、回転体１２２を注射器１４０と一緒に回転するようにガイドする回転ガイド突起部１５２と、を有してもよい。一方、回転体１２２は、注射器１４０の着脱のために、摺動部１２０の残部に挟持方式等により分離可能に結合される。
【００３２】
回転部１５０は、胴体１１０の外周面に回転可能に結合され、内周面に螺子突起部１５１に結合されるためのガイド突起１５４が形成され、回転方向に沿って回転体１２２の前後移動をガイドする回転リング１５３をさらに有してもよく、摺動部１２０の前進の初期時、一定の距離内において回転体１２２の回転を抑制するように、螺子突起部１５１の前側に直線部１５５が形成されてもよい。例えば、螺子突起部１５１の長さは、一例として１０ｍｍであってもよく、直線部１５５も１０ｍｍであってもよい。したがって、注射器１４０の前進によるニードル１４２の突出長さは２０ｍｍであってもよい。
【００３３】
回転ガイド突起部１５２は、胴体１１０の内周面に沿って回転可能に複数個設置され、この際、それぞれはボールからなってもよい。
【００３４】
ヘッド１６０は、摺動部１２０の後端に螺合されて胴体１１０から引き出され、摺動部１２０との螺合長さに応じて、摺動部１２０の前後移動距離を調節することができ、側部に表示窓１１３から露出し、摺動部１２０の前後移動距離を示す表示部１６１が設けられるが、表示部１６１は、一例として目盛りと数字からなっている。
【００３５】
ヘッド１６０は、胴体１１０の後端に係止するように、胴体１１０の内径よりも大きな直径または幅を有して形成される。
【００３６】
陰圧発生部１７０は、胴体１１０に設置され、外部に位置するボタン１７１の押圧によって、注射器１４０のピストン１４３を引っ張ることにより、注射器１４０に陰圧を発生させ、病変部位に対する組織や細胞を採取させるが、図４に示すように、一例として、胴体１１０内に回転可能に設置され、ピストン１４３の取っ手に連結されるワイヤー１７３が巻取されるプーリー１７２と、プーリー１７２の一側に設けられるギア１７４と、胴体１１０に露出して設置され、押圧によりギア１７４を回転させるように設置されるボタン１７１が、ギア１７４から離隔するように弾性を提供する復帰ばね１７５と、を有してもよい。ここで、ワイヤー１７３は、端部がピストン１４３の取っ手に挟持される挟持部１７６に固定される。
【００３７】
摺動部１２０を、その前進後、一定の距離、例えば１０ｍｍで停止させるロータリーノックモジュール１８０を有している。
【００３８】
ロータリーノックモジュール１８０は、ノック式筆記具の動作及び構成が採用され得るが、摺動部１２０と胴体１１０の内側面に設けられ、ヘッド１６０を押圧して摺動部１２０が前方に移動した状態で、ヘッド１６０を放すと、摺動部１２０が弾性部材１３１、１３２の弾性力によって後方に移動して係止させ、ニードル１４２が胴体１１０から突出した状態を維持し、ヘッド１６０を再度押圧してから放すと、摺動部１２０が係止の解除により後方に移動し、ニードル１４２を胴体１１０から挿入させる。
【００３９】
図５に示すように、ロータリーノックモジュール１８０は、一例として、摺動部１２０の両分されたいずれか一端に結合されるホルダー１８１と、摺動部１２０の両分された他の一端に結合されるノック部材１８２と、胴体１１０の内側面に形成され、ホルダー１８１を拘束する突出支持段１８３と、突出支持段１８３間に形成され、ノック部材１８２の乗降をガイドし、ホルダー１８１が上部に移動され、摺動部１２０が後方に移動するようにするガイド溝１８４と、ガイド溝１８４と突出支持段１８３との間に形成され、摺動部１２０の後方移動のために、ホルダー１８１を回動させる回動傾斜段１８５と、を有してもよい。ここで、ホルダー１８１の上部には、上端が突出支持段１８３に係止し、またはガイド溝１８４に移動するホルダーキー１８６が形成されてもよく、ノック部材１８２の下端には、ホルダーキー１８６と噛み合わせられた状態で押下するようにギア部１８７が設けられてもよい。また、ロータリーノックモジュール１８０と摺動部１２０は、相互間の摺動において干渉を生じないように構成される。
【００４０】
このような本発明によるペン型超音波用微細針細胞及び組織検査機の作用について説明する。
【００４１】
図５に示すように、ヘッド１６０を摺動部１２０から回すことにより、ヘッド１６０が胴体１１０から引き出されるが、この際、ヘッド１６０を回した回数だけ、または摺動部１２０から移動した距離だけ、表示部１６１（図２参照）が表示窓１１３（図２参照）に示される。ヘッド１６０を押さなかった状態では、図３に示すように、注射器１４０のニードル１４２がキャップ１１４の端部に合わせられる。
【００４２】
ヘッド１６０を押して、摺動部１２０を、例えば１０ｍｍ前進させると、注射器１４０のニードル１４２がニードル通過孔１１１から１０ｍｍ突出する。この際、直線部１５５が回転ガイド突起部１５２にガイドされることにより、注射器１４０は、回転しなかったまま前進し、これにより、ニードル１４２が病変部位に入る前に組織損傷を最少化することになる。また、ヘッド１６０から手を放すと、ロータリーノックモジュール１８０によって、ニードル１４２が１０ｍｍ突出した状態で停止することができる。したがって、ニードル１４２を病変部位に挿入時、一度、停止状態でヘッド１６０から押す指を放すと、ニードル１４２が突出した状態で停止し、指があまり疲れず、停止状態で超音波像の病変部位への進入を再度確認することができる。この際、プーリー１７２からワイヤー１７３が繰り出されることにより、注射器１４０は、内部圧力の変動無しに前進することになる。
【００４３】
また、図６に示すように、ヘッド１６０を押して１０ｍｍさらに進行すると、病変部位に正確にニードル１４２の端部が進入しながら、螺子突起部１５１と回転ガイド突起部１５２によって、回転体１２２が注射器１４０と一緒に回転することになる。これにより、ニードル１４２が病変の内部において細胞や組織の採取を極大化することができる。その後、３または４番目の指を用いて、ボタン１７１を押してピストン１４３を後方に移動させ、注射器１４０に陰圧を生じ、注射器１４０の陰圧により、病変部位に対する細胞及び組織の採取を可能にする。
【００４４】
一方、注射器１４０に持続的に陰圧を加えると、血液が吸入され過ぎ、返って細胞判読を妨害するため、血液吸入を最少化し、必要時のみ作動するように、ボタン１７１から指を放すと、復帰ばね１７５（図４参照）の弾性力によって、プーリー１７２は元の位置に戻るようになる。
【００４５】
このように添付図面に基づき本発明について説明したが、本発明の技術的思想を逸脱しない範囲内で、様々な修正及び変形がもちろん可能である。したがって、本発明の範囲は、説明された実施例に限られて定められてはならず、後述する特許請求の範囲のみならず、このような特許請求の範囲との均等物によって定められなければならない。
【符号の説明】
【００４６】
１１０：胴体
１１１：ニードル通過孔
１１２：グリップ部
１１３：表示窓
１１４：キャップ
１１５：支持突起
１２０：摺動部
１２１：フランジ
１２２：回転体
１２３：溝
１２４：螺合部
１３１、１３２：弾性部材
１４０：注射器
１４１：シリンダ
１４２：ニードル
１４３：ピストン
１５０：回転部
１５１：螺子突起部
１５２：回転ガイド突起部
１５３：回転リング
１５４：ガイド突起
１５５：直線部
１６０：ヘッド
１６１：表示部
１７０：陰圧発生部
１７１：ボタン
１７２：プーリー
１７３：ワイヤー
１７４：ギア
１７５：復帰ばね
１７６：挟持部
１８０：ロータリーノックモジュール
１８１：ホルダー
１８２：ノック部材
１８３：突出支持段
１８４：ガイド溝
１８５：回動傾斜段
１８６：ホルダーキー
１８７：ギア部
１９０：蓋
１９１：クリップ
【図１】
2013138842.tif 000003
【図２】
2013138842.tif 000004
【図３】
2013138842.tif 000005
【図４】
2013138842.tif 000006
【図５】
2013138842.tif 000007
【図６】
2013138842.tif 000008